(57)【要約】      （修正有）【課題】従来の換気機能を有する補助錠は、窓ガラスの枠に組み込んだタイプや工具で取り付けるが、工具や難しさもなくだれでも容易に既存の窓ガラスに取り付けられる換気幅調節機能を有し、かつ取り扱い並びに操作も容易な引き戸用の補助錠を提供する。【解決手段】ケース１の中ほどの縦位置に、下端部に係合ツメ５を有し上部にロックボタン８を備えた作動板６下部にバネ７を介在させた前記作動板６をスライド自在に位置し、その上面に、上下端部をコの字状に曲げたガイド板９とケース１の裏面から一方側部に至るＬ字状の戸当て板１０を重ねてネジ１２留めして成る錠容体１３に、一定の長さの板の下辺部に係合凹部１５を一定間隔に複数個設けた別体のレールプレート１４を組み合せた補助錠１８。 【選択図】図１
2005068979.tif 000002
【特許請求の範囲】
【請求項１】
ケースの中ほどの縦位置に、下端部をコの字状に曲げた端部に係合ツメを有し、上部にロックボタンを備えた作動板下部にバネを介在させた前記作動板をスライド自在に位置し、その上面に上下端部をコの字状に曲げたガイド板とケースの裏面から一方側部に至るＬ字状の戸当て板を重ねて後にケースにネジ留めした錠容体に、一定の長さの板下辺部に係合凹部を一定間隔に複数個設けた別体のレールプレートを組合せた構成を特徴とする換気機能を有する補助錠。
【請求項２】
上記する戸当て板の側端部に、ゴムカバーを取り付けた請求項１に記載する換気機能を有する補助錠。
【請求項３】
上記する作動板の係合ツメと、レールプレートの係合凹部の形状が略二等辺三角形状である請求項１または請求項２に記載する換気機能を有する補助錠。
【請求項４】
上記するレールプレートの取り付け手段が、レールプレートの裏面に、剥離紙付接着材を施した請求項１〜請求項３のいずれかに記載する換気機能を有する補助錠。
【請求項５】
上記するレールプレートの取り付け手段が、レールプレートに二つ以上のネジ穴を設けた請求項１〜請求項３のいずれかに記載する換気機能を有する補助錠。
【発明の詳細な説明】
【発明の詳細な説明】
【技術分野】
【０００１】  本発明は、換気調節機能を有し、かつ取り付け及び操作が容易な引き戸用の補助錠に関する。
【背景技術】
【０００２】  従来、窓の引き戸にはクレセント錠が備えられているが、一定の幅に窓ガラスを開けて換気した場合でも防犯機能を有する補助錠の技術もいくつか提供されている。そのひとつにはケース内にストッパーを支軸によりシーソー式に出没自在に収容した補助錠を窓枠下部に一体に内蔵し、窓ガラスを一定幅開けて換気をする必要がある時は、前記補助錠のストッパーを突出させることにより、それ以上は外から戸を開けられることなく換気ができる補助錠の技術がある。（例えば、特許文献１参照。）。【０００３】  さらに複数の穴付ベルトの一方を外側の引き戸に取り付け、他方の穴を内側の引き戸に設けた引っ掛け片に掛け止めることで、一定幅に窓ガラスを開けてもそれ以上は開けられない補助錠の技術がある。（例えば、特許文献２参照。）。【０００４】
【特許文献１】          特開２００２−４６７１号公報（第２〜４頁、図１）
【特許文献２】          特開２００３−２７８１２号公報（第２〜４頁、図１）
【発明が解決しようとする課題】
【０００５】  上記した特開２００２−４６７１号公報に開示される技術は、引き違い戸を特定者のみが操作できる換気用補助錠であり、この技術は外側の戸の下枠に、右端より少し左寄りの枠内にシーソー式に出没する補助錠を設けることにより、内側の戸を一定幅に開けて換気ができるとともに、外側からの人間が侵入するのを防ぐ補助錠であるが、その構成はサッシ窓の枠内に一体に形成するタイプであるので、既存のサッシ窓には使えないし、また換気幅は一定であるためきめ細かい調整ができないなどの不便や欠点がある技術であった。
【０００６】  また特開２００３−２７８１２号公報における技術は、引き戸の若干の開閉幅を調節することができ、かつ換気調節ができるベルト式補助錠である。しかしこの補助錠は、外側の引き戸の枠体に複数の穴を有する柔軟なベルト本体部を納めたベルト本体収納部を取り付け、そのベルト本体部の穴が引っ掛けられる引っ掛け片を内側の引き戸に取り付けた引っ掛け片に、前記ベルト本体部の穴を掛け止めて連結する補助錠であり、掛けるベルトの穴の位置を変えることにより換気調節できるものである。しかし二つの戸を連結するベルトは金属のように丈夫ではないため、長期間の使用においては耐久性がなく切れやすい。また外部から侵入する者が強く戸を開けると穴が大きくなって外れたりすることもある技術である。加えてベルト本体部は柔軟であるため外側の戸の隙間に巻き込んで動かなくなる危険があり、また窓を全開する場合は、ベルト本体部を引っ掛け片より外してベルト本体収納部側にがある収納片に掛けるなどの面倒と、正確に納めないと浮き上がったりして開閉時における操作性が悪いなどの不便や欠点がある技術であった。
【課題を解決するための手段】
【０００７】  上記するような従来の不便や欠点を解消するために、請求項１においては、錠体を構成するケースの中ほどの縦位置に、下端部に係合ツメを有し上部にロックボタンを備えた作動板下部にバネを介在させた前記作動板をスライド自在に位置し、その上面に、上下端部をコの字状に曲げたガイド板とケースの裏面から一方側部に至るＬ字状の戸当て板を重ねてネジ留めして成る錠容体に、一定の長さの板下辺部に係合凹部を一定間隔に複数個設けた別体のレールプレートを組み合せた補助錠とする。
【０００８】  請求項２においては、上記する戸当て板の側端部に、ゴムカバーを取り付けることで窓を開けた時の衝撃を和らげるようにする。
【０００９】  請求項３においては、上記する作動板の係合ツメと、レールプレートの係合凹部の形状が略二等辺三角形状にすることにより、一方向にはロックボタンを押さなくてもスライドさせられるものとする。
【００１０】  請求項４においては、上記するレールプレートの取り付け手段が、レールプレートの裏面に剥離紙付接着材を施すことにより、窓枠に工具を用いず容易に取り付けられ補助錠とする。
【００１１】  請求項５においては、上記するレールプレートの取り付け手段が、接着剤に代えてレールプレートに二つ以上のネジ穴を設けてネジ止めする補助錠とするが、以下、さらに詳しく実施の形態を示す。
【発明を実施するための最良の形態】
【００１２】  本発明の実施の形態を図１に示す一部分解した斜視図と図２に示す正面及び図、図３に示す錠容体の拡大裏面図、図４に示す錠容体の拡大側面図並びに、図５の錠容体の作動例を示すＡ−Ａ部拡大断面図を参照して説明する。【００１３】  裏側が開口されたケース１の縦中央にスライド部け、その上部にボタン穴２を、下部に切り欠き部３を設けた側面にフック４を有するケース１を合成樹脂素材により一体形成し、そのケース１のスライド部に、別体に形成される金属板の下部をコの字状に曲げた端部が、二等辺三角形状を成す係合ツメ５を設けた作動板６下部にコイル状のバネ７を介在させた上部に、別体のロックボタン８を取り付けた前記作動板６をスライド自在に位置させ、その上面には、上下端部をコの字状に曲げ、かつ下部は前記ケース１の切り欠き部３と同位置に、同じ幅の切り欠き部３ａを設けた開口部と同じ大きさのガイド板９を重ね、さらにその上面には、フック４側端部より対向側の側部まで至るＬ字状の戸当て板１０側端部に、ゴムカバー１１を取り付けた戸当て板１０を重ねた上で、戸当て板１０及びガイド板９をケース１にネジ１２留めして成る錠体１３を構成する。【００１４】  以上のように形成した錠体１３には、別体形成するレールプレート１４として、前記錠体１３のガイド板９上下のコの字状部に収まる幅で長さ約２０ｃｍていどの金属板の下辺部に約２，５ｃｍ間隔の位置に、前記作動板６の係合ツメ５に合う形状の係合凹部１５を複数個設け、かつ裏面側には剥離紙１６付接着材１７を施して成るレールプレート１４を、前記錠容体１３のガイド板９に組み合わせて本発明による換気機能を有する補助錠１８を構成する。【００１５】  本発明による補助錠１８はロック機構を内蔵した錠体１３に、一定の長さの係合凹部１５付きレールプレート１４を組み合せる方式を採用しているので、窓ガラスの外戸Ｂに取り付ける際は、図６の（イ）図に示すようにレールプレート１４に組み合わせた錠体１３を右側に位置した上で、裏面の剥離紙１６を剥して外戸Ｂの下部枠の右端に貼り付けて固定する方式であるため、既存の窓ガラスの戸枠に容易に取り付けられる。また錠体１３を右端に位置した場合は、主錠となるクレセント錠を解除しても、錠体１３に内蔵する係合ツメ５はバネ７圧により押し上げられてレールプレート１４の係合凹部１５に噛み合ってロックされるため外戸Ｂ及び内戸Ｃを開けることはできない。【００１６】  次に錠体１３のロックボタン８を押すと係合ツメ５は係合凹部１５から外れるので、ロックボタン８を押したまま左にスライドさせて任意の係合凹部１５位置で手を離すと、（ロ）図に示すように錠体１３はレールプレート１４の任意部位の係合凹部１５に噛み合って固定されるので、（ロ）図に示すように内戸Ｃを開けても、ゴムカバー１１を取り付けた戸当て板１０（図示せず）に当たってそれ以上は戸を開けることはできない。加えて、錠体１３は左右スライド可能であるためレールプレート１４の係合凹部１５の間隔ごとにきめ細かく戸の開放幅を調節することが可能となり、さらに錠体１３はレールプレート１４から取り外せるので、窓ガラスを全開することも可能な補助錠１８を構成する。【００１７】  本発明は以上のような補助錠１８であるが、その構成におけるレールプレート１４に設ける係合凹部１５の間隔や個数は任意でよい。さらにレールプレート１４の取り付け手段は接着剤１７で取り付けるものであるが、ネジ穴を設けて戸枠にネジ止めする方法を採用しても差し支えないものであり、いずれも特に限定するものではない。
【発明の効果】
【００１８】  本発明による補助錠は以上のような構成とするので、まず窓ガラスの引き戸に補助錠を取り付ける際は、レールプレートに錠体を右端に位置させた後に、締め切った外戸の戸枠下部の右端部位に、前記レールプレートの剥離紙を剥してから内戸枠に接するようにして貼り付けるだけで、取り付け工具など用いなくても強固にしてかつ容易に取り付けられる。加えて、貼り付けて固定する方法であるため窓枠の上下に取り付けるにも容易である。尚、レールプレートを錠体がスライドするとともに接着方式であるため、天地逆に取り付けると右勝手のサッシ窓にも取り付けることも可能な補助錠である。
【００１９】  以上のように取り付けられた補助錠はクレセント錠とともに窓ガラスを閉じる複合効果を得るが、一定の間隔窓を開けて換気をしたい時は、クレセント錠を開錠してから本補助錠のロックボタンを押したまま錠体を左方向にスライドして任意の所でロックボタンから手を離すと、内蔵したバネ圧により錠体はロックされるため、内側の窓ガラスは一定の間隔を維持してそれ以上は開けられない。加えて、レールプレートには係合凹部を複数個設けているので、風の強さやペットなどの出入り幅や使用者の好みに応じて窓ガラスの開口幅をきめ細かく微調整できる補助錠である。
【００２０】  さらに錠体の係合ツメとレールプレートの係合凹部の形状は二等辺三角形状を成すので、左方向にはロックボタンを押さないと動かないが、右方向には錠体をスライドさせるだけで動かせるため、窓ガラスを閉じた後は一々ロックボタンを押さなくても錠体をセットすることができる。さらに錠体は外すことも可能であるため、窓ガラスを全開することもできる機能的にして取り付け取り外しが容易な換気機能を有する引き戸用の補助錠を提供する。
【図面の簡単な説明】
【図１】  補助錠を示す一部分解した斜視図である。
【図２】  補助錠を示す正面図である。
【図３】  補助錠の錠体を示す拡大裏面図である。
【図４】  補助錠の錠体を示す拡大側面図である。
【図５】  補助錠の作動例を示すものであり、（イ）はロック状態を示し、（ロ）はロックを解除した状態を示すＡ−Ａ部の拡大断面図である。
【図６】  補助錠の取り付け例を示すものであり、（イ）は戸を閉めたロック状態を示し、（ロ）は錠体をスライドして内戸を一定幅開けてロックした参考図である。
【符号の説明】
１・ケース
３，３ａ・切り欠き部
４・フック
５・係合ツメ
６・作動板
７・バネ
８・ロックボタン
９・ガイド板
１０・戸当て板
１１・ゴムカバー
１２・ネジ
１３・錠体
１４・レールプレート
１５・係合凹部
１６・剥離紙
１７・接着剤
１８・補助錠
Ｂ・外戸
Ｃ・内戸
【図１】
2005068979.tif 000003
【図２】
2005068979.tif 000004
【図３】
2005068979.tif 000005
【図４】
2005068979.tif 000006
【図５】
2005068979.tif 000007
【図６】
2005068979.tif 000008